(57)【特許請求の範囲】
【請求項１】
長手方向両端部に端板を備えた複数の照明器具を有し、隣接した前記照明器具同士の前記端板を連結して、前記複数の照明器具が長手方向に一列に並べて配設された照明装置であって、
前記照明器具は、前記端板を有し下側が開口する器具本体と、この器具本体の下側に配置されるとともに、支持部を有して長手方向両端が開放された一対の枠材及びこれらの枠材の前記支持部にわたって支持される制光要素を有する制光体とを具備しており、
互いに隣接して配設された前記照明器具の制光要素間の光漏れを防ぐ目隠し部材を、前記制光要素間の隙間を上側から覆って前記端板に連結し、
この目隠し部材が、前記隙間を上側から覆って配置されたカバー部と、このカバー部に上向きに突設されて前記端板に連結された固定部と、前記カバー部に下向きに突設され、前記制光要素の長手方向の端面と当接可能であって、前記枠材に対する前記制光要素の長手方向の動きを規制するストッパとを備え、前記カバー部の幅方向中央よりも前記幅方向のどちらか一端側に２枚の前記端板の厚み分隔てて前記固定部を配設したことを特徴とする照明装置。
【発明の詳細な説明】
【０００１】
【発明の属する技術分野】
本発明は、例えば電車の車内灯等に好適に使用される照明装置に関する。
【０００２】
【従来の技術】
電車の車内灯等に用いられる照明装置には、長手方向に一列に並べて配設された複数の照明器具を備えて構成されるものがある。この照明装置に用いられる照明器具は、器具本体、点灯装置、ランプソケット、直管型蛍光ランプ、制光体等を具備している。
【０００３】
器具本体は、下側が開口した細長い箱状に形成されている。点灯装置は、電子安定器と称される放電灯点灯装置が用いられており、器具本体に取付けられている。ランプソケットは、器具本体の長手方向両端部に位置して取付けられており、これらのランプソケットの間に蛍光ランプが取外し可能に支持されている。この蛍光ランプは点灯装置により点灯される。
【０００４】
制光体は、器具本体の周囲を囲んで配置される枠体及び枠体に支持される制光要素としてのグローブを備えている。
【０００５】
枠体は、器具本体の長手方向に延びる互いに略平行な一対の第１枠材と、器具本体の幅方向に延びて、一対の第１枠材の両端部間を架橋する第２枠材とを備えている。第１枠材の長手方向に延びる両側下端部には、内向きに折り曲げられた支持縁が形成されている。第１枠材の長手方向両端は開放されている。
【０００６】
グローブは、第１枠材と同程度の長さで、且つ下側から器具本体を覆う形状に形成されたものであり、長手方向に延びる両側縁部は外側に張出している。このグローブは、一対の第１枠材の支持縁にグローブの側縁部を引掛けながら、一対の第１枠材の間に長手方向に挿入することで枠体に支持される。
【０００７】
この制光体は器具本体に開閉可能に取付けられており、蛍光ランブの交換などのメンテナンスが容易に行なえるようになっている。
【０００８】
【発明が解決しようとする課題】
しかし、グローブは、上述のように、一対の第１枠材の支持縁にグローブの側縁部を引掛けているだけであるため、電車等の走行に伴う振動等が与えられることにより、グローブは第１枠材の支持縁上を滑動できる。そのため、滑動したグローブの端部が、隣接する照明器具（第１枠材の支持縁上）に入り込んでしまうおそれがある。このように、グローブが隣接する照明器具に入り込んでしまうと、メンテナンス時に制光体が開かないという不便がある。
【０００９】
本発明が解決しようとする課題は、制光要素が隣接する照明器具に入り込むのを防ぐことができるとともに、そのために用いる目隠し部材のカバー部を互いに隣合う照明器具の中央部付近に配置できる照明装置を得ることにある。
【００１０】
【課題を解決するための手段】
請求項１に係る発明の照明装置は、長手方向両端部に端板を備えた複数の照明器具を有し、隣接した前記照明器具同士の前記端板を連結して、前記複数の照明器具が長手方向に一列に並べて配設された照明装置であって、前記照明器具は、前記端板を有し下側が開口する器具本体と、この器具本体の下側に配置されるとともに、支持部を有して長手方向両端が開放された一対の枠材及びこれらの枠材の前記支持部にわたって支持される制光要素を有する制光体とを具備しており、互いに隣接して配設された前記照明器具の制光要素間の光漏れを防ぐ目隠し部材を、前記制光要素間の隙間を上側から覆って前記端板に連結し、この目隠し部材が、前記隙間を上側から覆って配置されたカバー部と、このカバー部に上向きに突設されて前記端板に連結された固定部と、前記カバー部に下向きに突設され、前記制光要素の長手方向の端面と当接可能であって、前記枠材に対する前記制光要素の長手方向の動きを規制するストッパとを備え、前記カバー部の幅方向中央よりも前記幅方向のどちらか一端側に２枚の前記端板の厚み分隔てて前記固定部を配設したことを特徴とする。
【００１１】
この発明において、目隠し部材は光拡散透過性を有するのが好ましく、例えば乳白色のアクリル樹脂等で形成することができる。また、この発明において、ストッパと目隠し部材とは一体に形成してもよい。
【００１２】
請求項１の発明の照明装置は、照明器具の制光要素間の光漏れを防ぐ目隠し部材が有したストッパにより枠材に対する制光要素の長手方向の動きが規制されるため、制光要素が隣接する照明器具に入り込むのを防ぐことができる。更に、請求項１の発明の照明装置は、目隠し部材が有したカバー部の幅方向中央よりも前記幅方向のどちらか一端側に２枚の器具本体の端板の厚み分隔てて目隠し部材の固定部を配設したため、目隠し部材のカバー部を互いに隣合う照明器具の中央部付近に配置できる。
【００１７】
【発明の実施の形態】
以下、図１〜図５を参照して電車の車内灯として好適に使用される本発明の第１の実施形態を説明する。
【００１８】
この照明装置Ａは、図１に示したように、器具設置部である電車の天井Ｄに、電車の長手方向に延びるように、一列に並べて直線状に配設された複数の照明器具Ｂを有するものである。この配設において、互いに隣接して配設された照明器具Ｂの連結部Ｅには、この照明器具Ｂに挟まれて目隠し部材Ｃが設けられている。一列に並べた複数の照明器具Ｂと目隠し部材Ｃとを備えて照明装置Ａが構成される。
【００１９】
なお、図５では、識別を容易にするために、基準となる例えば左側の照明器具に符号Ｂ１、この照明器具Ｂ１の長手方向の一端に隣接される照明器具に符号Ｂ２を付して示す。
【００２０】
照明器具Ｂは、図２及び図３に示したように、器具本体１０、点灯装置１３、ランプソケット１４、光源としての直管型蛍光ランプ１５、制光体２０等を具備している。
【００２１】
１〜３ｍ程度の長さの器具本体１０は、中央壁部１０ａ、斜状壁部１０ｂ、水平状張出し壁部１０ｃ、曲げ縁部１０ｄ、及び端板１１を備えている。一対の斜状壁部１０ｂは、互いに逆方向に傾斜してハの字状（図３参照）に設けられていて、略平行な中央壁部１０ａと一対の水平状張出し壁部１０ｃとを一体につないでいる。一対の曲げ縁部１０ｄは水平状張出し壁部１０ｃに対して略垂直下方に折り曲げて設けられている。一対の端板１１は器具本体１０の長手方向両端部の縁に沿ってハの字状に配置されている。この端板１１の上側及び下側に通孔１１ｂ,１１ｃが形成されている。なお、図５中１１ａは、端板１１の縁を略垂直に折り曲げて形成した折り曲げ片を示し、これは斜状壁部１０ｂに固定される。
【００２２】
器具本体１０は、カラー鋼板等からなり、その内面は反射面となっている。更に器具本体１０は安定箱器１２を備えている。この箱は中央壁部１０ａの長手方向中央部上面に固定されていて、その内部には点灯装置１３をなす放電灯安定器が収容されている。器具本体１０が、水平状張出し壁部１０ｃと安定箱器１２とを結ぶように傾斜し、且つ、反射面として用いられる一対の斜状壁部１０ｂを有していることにより、同位置の壁部が垂直に起立している場合に比較して、下方への反射効果が向上されるので、それに伴い、照明器具Ｂが後述するグローブ２６を備えることに起因する照度低下を少なくできる。
【００２３】
器具本体１０は、その一対の水平状張出し壁部１０ｃを電車の天井Ｄに当接させるとともに、斜状壁部１０ｂ、中央壁部１０ａ、及び安定箱器１２を、天井Ｄに開口させた埋め込み穴（図示せず）に挿入して、天井Ｄに設置される。この設置は、例えば水平状張出し壁部１０ｃを上向きに挿通する図示しない取付けねじを天井Ｄにねじ込んで行なわれる。
【００２４】
器具本体１０の長手方向両端部に位置して中央壁部１０ａの下側には、ソケット取付け部（図示せず）が夫々設置されており、これらには二対のランプソケット１４が下向きに取付けられている。この二対のランプソケット１４の間には２本の蛍光ランプ１５が取外し可能に支持されている。
【００２５】
制光体２０は、器具本体１０の周囲を囲んで、この器具本体１０の下側に配置される枠体２１と、この枠体２１に支持される制光要素としてのグローブ２６とを備えている。
【００２６】
図３等に示したように、枠体２１は、器具本体１０の長手方向に延びる互いに略平行な一対の第１枠材２２と、器具本体１０の幅方向に延びて、一対の第１枠材２２の両端部間をつないだ一対の略平行な第２枠材２３を備えている。各枠材２２,２３は、例えばアルミニウム合金の押出し型材で形成されている。
【００２７】
第１枠材２２は、グローブ２６を支持するための支持部として、例えば内向きに折り曲げられた支持縁２２ａを有しているとともに、この上側近傍に位置される内方突出部２２ｂを一体に有している。内方突出部２２ｂは、支持縁２２ａと対向して水平状に突出された後に斜め上方に折り曲げられており、且つ、この折り曲げ部から更に内向きに折り曲げられたパッキン保持部２２ｃを有している。内方突出部２２ｂの長手方向両端部には夫々図示しないが一対のねじ通孔が開けられている。第１枠材２２の長手方向両端は開放されている。したがって、隣接した照明器具Ｂ１，Ｂ２の第１枠材同士は、図５に示すように、隣接して相対している。
【００２８】
第２枠材２３は、平坦部２３ａ及び一対の傾斜部２３ｂを備えている。平坦部２３ａ及び傾斜部２３ｂは、両端に互いに略平行な折り曲げ片（図示せず）を有しており、下方に開放した断面略コ字状に形成されている。一対の傾斜部２３ｂは、平坦部２３ａの両側に、互い逆方向に傾斜してハの字状（図３参照）に固定されている。
【００２９】
第２枠材２３には、傾斜部２３ｂ下側に図示しない連結片が設けられている。連結片は第１枠材２２の内方突出部２２ｂの下面に重なるように設けられており、第１枠材２２と第２枠材２３とは、内方突出部２２ｂのねじ通孔（図示せず）をその上方から挿通して連結片に螺合して締付けられるねじを介して連結されている。この連結により、第１枠材２２と第２枠材２３は枠組みされて、枠体２１を形成する。
【００３０】
図３中２５は、発泡ウレタン等からなる防虫パッキンを示している。防虫パッキン２５は、第１枠材２２のパッキン保持部２２ｃの上壁に接着止めされているとともに、器具本体１０の端板１１の内壁に接着止めされている。器具本体１０を制光体２０で閉じたとき、端板１１に設けた防虫パッキン２５の端部側面に第１枠材２２に設けた防虫パッキン２５の端面が接触し、器具本体１０内への虫の侵入を防止できる。
【００３１】
グローブ２６は、例えば、乳白色のアクリル樹脂等の光拡散透過性を有する合成樹脂により一体成型されたものである。このグローブ２６は、下側から器具本体１０を覆う形状に形成されており、その長手方向に延びる両側縁部２６ａは外側に張出している。これら側縁部２６ａを一対の第１枠材２２の支持縁２２ａ上に夫々引掛けることにより、グローブ２６が枠体２１に支持される。第１枠材２２及びグローブ２６は、温度変化による長手方向の伸縮を考慮して、器具本体１０の長さよりも短く形成されている。
【００３２】
グローブ２６の枠体２１への取付けは、一対の第１枠材２２の一端部にわたって一方の第２枠材２３を既述のように連結した状態で、一対の第１枠材２２の支持縁２２ａにグローブ２６の側縁部２６ａを引掛けながら、このグローブ２６を一対の第１枠材２２の他端側から前記一方の第２枠材２３に向けて挿入し、他方の第２枠材２３を一対の第１枠材２２の他端部間にわたって既述のように連結することにより行なう。
【００３３】
制光体２０の器具本体１０への取付けは、これらを一側縁において連結する抜き差し蝶番２７と、他側縁において制光体２０を器具本体１０に対して閉じ状態に保持するラッチ機構２８とを用いて行なわれている。
【００３４】
抜き差し蝶番２７は、ピンを有した第１蝶番要素（図示せず）と、ピンを挿脱可能に嵌合する円筒部を有した第２蝶番要素（図示せず）とからなる。制光体２０を開いた状態でこれを長手方向に移動することにより、ピンに対する円筒部の抜き差しを伴って、器具本体１０に制光体２０が着脱される。
【００３５】
ラッチ機構２８は、器具本体１０に設けたラッチ係合部と、枠体２１に固定され、且つ、枠体２１の外側から押し込み操作可能なラッチ（ともに図示せず）とを備えている。ピンと円筒部とが嵌合された状態で、これらを支点として制光体２０を器具本体１０に寄るように回動させることにより、ラッチをラッチ係合部に引掛けて、制光体２０を閉じた状態に支持できる。
【００３６】
目隠し部材Ｃは、互いに隣接して配設された照明器具Ｂ１，Ｂ２のグローブ２６間の光漏れを防ぐものであり、図３及び図４（Ａ）（Ｂ）に示したように、固定部３０、カバー部３１、ストッパ３２等を備えている。
【００３７】
固定部３０は器具本体１０の一対の曲げ縁部１０ｄ間に遊嵌される長さの細長板状に形成されており、その両側部には通孔３０ａが設けられている。
【００３８】
カバー部３１は、光拡散透過性を有する合成樹脂（例えば乳白色のアクリル樹脂）からなり、両側部は、器具本体１０の一対の曲げ縁部１０ｄの一部を外側から覆うように上方に曲げられて側縁部３１ａが形成されている。このカバー部３１は、固定部３０の下側、且つ、器具本体１０の水平状張出し壁部１０ｃと略平行に配置されている。このカバー部３１は、連結部材３３を介して固定部３０と連結している。（図４（Ｂ）参照）
ストッパ３２は、グローブ２６が器具本体１０端部よりも外側に突出しないようにこのグローブ２６の長手方向の動きを規制するものである。このストッパ３２は、固定部３０と同程度の長さ、且つ、目隠し部材Ｃを照明器具Ｂの連結部Ｅに取付けた際、下端部がグローブ２６の上端部よりも下側に突出する幅を有する細長板状に形成されている。このストッパ３２は、カバー部３１の下側中央部に、固定部３０と略平行に配置されている。このストッパ３２は、連結部材３４を介してカバー部３１と連結している。（図４（Ｂ）参照）
目隠し部材Ｃは、互いに隣接する照明器具Ｂ１，Ｂ２のグローブ２６間に生じる隙間３７を上側から覆って配置され、照明器具Ｂ１の器具本体１０の端板１１の通孔１１ｃ、照明器具Ｂ２の器具本体１０の端板１１の通孔１１ｃ、固定部の通孔３０ａをこの順序で夫々挿通して締付けられるボルト３５及びナット３６を介して連結される（図３及び図５参照）。さらに、互いに隣接する照明器具Ｂ１，Ｂ２は、器具本体１０の端板１１の通孔１１ｂ同士を挿通して締付けられるボルト及びナット（ともに図示せず）を介して連結される。このようにして、複数の照明器具Ｂを連結して、この照明装置Ａは形成される。
【００３９】
なお、目隠し部材Ｃが互いに隣接する照明器具Ｂ１，Ｂ２の間に配置された状態において、カバー部３１は互いに隣り合う照明器具Ｂ１,Ｂ２の中央付近に配置されるのが好ましい。そのため、目隠し部材Ｃを形成する過程において、固定部３０とカバー部３１とを連結する際、固定部３０はカバー部３１の中央部よりもどちらか一端側に２枚の端板１１の厚み分偏った場所で連結しておくとよい。（図４（Ｂ）参照）
この照明装置Ａでは、図５に示したように、電車の振動に伴い、図５に示した照明器具Ｂ２のように、グローブ２６が第１枠材２２の支持縁２２ａの長手方向に沿って移動可能である。そして、図５において右側に滑動し、或いは、グローブ２６が長手方向に縮む場合には、器具本体１０の下側端部に隙間３７が大きく生じる。しかし、連結部Ｅには目隠し部材Ｃのカバー部３１が隙間３７を上方から覆って設けられているため、グローブ２６の動きに拘らず、隙間３７を通して、例えば照明器具Ｂ２の器具本体１０内が見えることは無い。
【００４０】
また、この照明装置Ａでは、既述のように、グローブ２６が第１枠材２２の支持縁２２ａに沿って滑動できる。また、グローブ２６が長手方向に伸びる。しかし、目隠し部材Ｃにストッパ３２を設けているため、例えば図５に示した照明器具Ｂ１のように、グローブ２６がずれ動いても、その端部がストッパ３２に当たって、それより先の長手方向の動きが規制される。したがって、照明器具Ｂ１のグローブ２６が隣接する照明器具Ｂ２に入り込むのを防ぐことができる。そのため、制光体２０の開閉を滞り無く行なうことができるとともに、その際に照明器具Ｂ１のグローブ２６を傷つけるおそれがない。
【００４１】
上述したように、この照明装置Ａによれば、互いに隣接して配設された照明器具Ｂの連結部Ｅに、グローブ２６が器具本体１０端部よりも外側に突出しないように、グローブ２６の長手方向の端面と当接可能であって、グローブ２６の長手方向の動きを規制するストッパ３２を設けているため、グローブ２６が隣接する照明器具Ｂに入り込むのを防ぐことができる照明装置Ａを得ることができる。
【００４２】
なお、この照明装置Ａでは、ストッパ３２を目隠し部材Ｃと一体に形成したが、ストッパ３２は目隠し部材Ｃとは別体に形成してもよい。
【００５０】
【発明の効果】
請求項１に係る発明によれば、制光要素が隣接する照明器具に入り込むのを防ぐことができる照明装置を提供することができるとともに、目隠し部材が有したカバー部の幅方向中央よりも前記幅方向のどちらか一端側に２枚の器具本体の端板の厚み分隔てて目隠し部材の固定部を配設したため、目隠し部材のカバー部を互いに隣合う照明器具の中央部付近に配置できる。
【図面の簡単な説明】
【図１】  本発明の第１の実施形態に係る照明装置が電車の天井に配置された例を示す図。
【図２】  図１の照明装置に備えられた照明器具の全体を示す斜視図。
【図３】  図１の照明装置に備えられた照明器具を一部切欠いて示す正面図。
【図４】  （Ａ）は図１の照明装置に備えられた目隠し部材を示す正面図。（Ｂ）は図４（Ａ）の目隠し部材の側面図。
【図５】  図１の照明装置に備えられた照明器具の連結部を示す断面図。
【符号の説明】
Ａ…照明装置、  Ｂ,Ｂ１,Ｂ２…照明器具、  Ｃ…目隠し部材、  Ｅ…連結部、  １０…器具本体、  １１…端板、  ２０…制光体、  ２１…枠体、２２…第１枠材、２２ａ…支持部（支持縁）  ２６…制光要素（グローブ）、  ３０…固定部、  ３１…カバー部、  ３２…ストッパ、  ３７…隙間
【図１】
0004039084.tif 000002
【図２】
0004039084.tif 000003
【図３】
0004039084.tif 000004
【図４】
0004039084.tif 000005
【図５】
0004039084.tif 000006